(57)【要約】【課題】  自分の好きな着信メロディを使用しながら、かつ、着信の有無を確実に知ることができる、携帯電話を提供する。【解決手段】  携帯電話においては、着信があれば（Ｓ１１）、着信メロディをＲＯＭから読出し、着信メロディ処理部へ送る。着信メロディ処理部では、エンベロープ検出部で着信メロディの音量が小さいか否かを判断する（Ｓ１２）。着信メロディの音量が小さいと判断したときは（Ｓ１２でＹＥＳ）、ＶＣＡ制御部でＬＵＴを参照して、ＶＣＡの増幅度を上げる（Ｓ１３）。【選択図】      図３
2006148527.tif 000002
【特許請求の範囲】
【請求項１】
着信メロディを出力する出力手段と、
前記出力手段へ出力される着信メロディの音量を増幅する増幅器と、
前記着信メロディの増幅前の音量を検出する音量検出手段と、
前記音量検出手段が、前記増幅前の着信メロディの音量が小さいと判断したときは、前記増幅器の増幅度を上げるように制御する制御手段とを含む、携帯電話。
【請求項２】
前記着信メロディは、それぞれの着信メロディに応じたエンベロープを有し、
前記音量検出手段は、前記着信メロディの前記エンベロープを検出して、前記エンベロープの変化に基づいて前記着信メロディの音量を検出する、請求項１に記載の携帯電話。
【請求項３】
前記制御手段は、前記エンベロープの音量の低下とそれに応じた前記着信メロディの音量を増幅する増幅度との関係を規定したＬＵＴを有し、
前記制御手段は、前記ＬＵＴを用いて前記増幅度を制御する、請求項２に記載の携帯電話。
【請求項４】
前記ＬＵＴの規定する前記エンベロープの音量低下とそれに応じた前記着信メロディの音量を増幅する増幅度との関係は、対数曲線で表される、請求項３に記載の携帯電話。
【請求項５】
前記ＬＵＴの規定する前記エンベロープの音量低下とそれに応じた前記着信メロディの音量を増幅する増幅度との関係は、前記着信メロディの種類に応じて異なる、請求項３または４に記載の携帯電話。
【請求項６】
外部の騒音を検出するマイクロフォンを含み、
前記制御手段は、前記ＬＵＴの規定する前記エンベロープの音量低下とそれに応じた前記着信メロディの音量を増幅する増幅度との関係を、前記マイクロフォンの検出した外部の騒音に応じて異なるように制御する、請求項２から５のいずれかに記載の携帯電話。
【請求項７】
前記着信メロディは、ボーカルと演奏とからなり、
前記制御手段は、前記ボーカルと演奏のいずれか一方について、前記増幅器の増幅度を制御する、請求項１から６のいずれかに記載の携帯電話。
【請求項８】
着信メロディを出力する出力手段と、
前記出力手段へ出力される着信メロディの音量を増幅する増幅器と、
前記着信メロディの増幅前の音量を検出する音量検出手段と、
前記音量検出手段が、前記着信メロディの音量が小さいと判断したときは、前記増幅器の増幅度を上げるように制御し、前記着信メロディの音量が大きいと判断したときは、前記増幅器の増幅度を下げるように制御する制御手段とを含み、
前記制御手段は、前記着信メロディの音量が大きくなるときと、小さくなるときとで、前記増幅器の増幅度の変化の割合を異ならせる、携帯電話。
【発明の詳細な説明】
【技術分野】
【０００１】
この発明は、携帯電話に関し、特に、着信メロディを有する携帯電話に関する。
【背景技術】
【０００２】
着信メロディの音量を切替えることのできる携帯電話がたとえば、特開２００２−２３２５２１号公報（特許文献１）に記載されている。同公報によれば、着信メロディ試聴・選択モードが設けられ、ユーザが入力部の楽音切替ボタンによって、イヤーピーススピーカを選択すると、このイヤーピーススピーカから小音量に切替えられた楽音が発生される。
【特許文献１】特開２００２−２３２５２１号公報（段落番号０００４等）
【発明の開示】
【発明が解決しようとする課題】
【０００３】
従来の着信メロディの音量を切替えることのできる携帯電話は、上記のように構成されていた。簡単な構成で着信メロディの音量を小さくできた。一方、携帯電話において、着信メロディは音楽性が必要なものの、主たる機能は着信の伝達である。しかし音楽は、時として、ピアノや、ピアニシモのような、音量の小さい状態が続くことがある。この場合、肝心な着信の有無が不明になるため、好ましくない。
【０００４】
この発明は、この課題に鑑みてなされたもので、自分の好きな着信メロディを使用しながら、かつ、着信の有無を確実に知ることができる、携帯電話を提供することを目的とする。
【課題を解決するための手段】
【０００５】
この発明に係る、携帯電話は、着信メロディを出力する出力手段と、出力手段へ出力される着信メロディの音量を増幅する増幅器と、着信メロディの増幅前の音量を検出する音量検出手段と、音量検出手段が、増幅前の着信メロディの音量が小さいと判断したときは、増幅器の増幅度を上げるように制御する制御手段とを含む。
【０００６】
着信メロディの音量が小さくなったときは、増幅器の増幅度が上げられるため、自分の好きな着信メロディを使用しながら、かつ、着信の有無を確実に知ることができる、携帯電話を提供できる。
【０００７】
この発明の一実施の形態によれば、着信メロディは、それぞれの着信メロディに応じたエンベロープを有し、音量検出手段は、着信メロディのエンベロープを検出して、エンベロープの変化に基づいて着信メロディの音量を検出する。
【０００８】
好ましくは、制御手段は、エンベロープの音量の低下とそれに応じた着信メロディの音量を増幅する増幅度との関係を規定したルックアップテーブル（以下、「ＬＵＴ」と省略する）を有し、制御手段は、ＬＵＴを用いて増幅度を制御する。
【０００９】
さらに好ましくは、ＬＵＴの規定するエンベロープの音量低下とそれに応じた着信メロディの音量を増幅する増幅度との関係は、対数曲線で表される。
【００１０】
なお、ＬＵＴの規定するエンベロープの音量低下とそれに応じた着信メロディの音量を増幅する増幅度との関係は、着信メロディの種類に応じて異ならせてもよいし、マイクロフォンで外部の騒音を検出し、ＬＵＴの規定するエンベロープの音量低下とそれに応じた着信メロディの音量を増幅する増幅度との関係を、マイクロフォンの検出した外部の騒音に応じて異なるように制御してもよい。
【００１１】
また、着信メロディは、ボーカルと演奏とからなり、制御手段は、ボーカルと演奏のいずれか一方について、増幅器の増幅度を制御してもよい。
【００１２】
この発明の他の局面によれば、携帯電話は、着信メロディを出力する出力手段と、出力手段へ出力される着信メロディの音量を増幅する増幅器と、着信メロディの増幅前の音量を検出する音量検出手段と、音量検出手段が、着信メロディの音量が小さいと判断したときは、増幅器の増幅度を上げるように制御し、着信メロディの音量が大いと判断したときは、増幅器の増幅度を下げるように制御する制御手段とを含み、制御手段は、着信メロディの音量が大きくなるときと、小さくなるときとで、増幅器の増幅度の変化の割合を異ならせる。
【発明を実施するための最良の形態】
【００１３】
以下、この発明の実施の形態を、図面を参照して説明する。図１はこの発明の一実施の形態に係る携帯電話のブロック図である。
【００１４】
図１を参照して、この発明の一実施の形態に係る携帯電話１０は、着信メロディを有しており、携帯電話１０全体を制御するＣＰＵ１１と、ＣＰＵ１１に接続された、ＲＯＭ１２、ＲＡＭ１３、通信部１４、表示部１５、着信メロディ処理部１６、マイクロフォン１７およびスピーカ１８とを含む。
【００１５】
着信メロディ処理部１６は、後に説明するように、ＣＰＵ１１とともに、着信メロディの音量を制御する。なお、着信メロディは、ＲＯＭ１２に格納されているものとする。マイクロフォン１７は、通話時の音声だけでなく、周囲の騒音を検出するためにも使用されてもよい。
【００１６】
この実施の形態においては、着信メロディの特性によって着信メロディの音量が小さくなったときは、その音量が小さくならないように制御される。
【００１７】
図２は、図１の１６で示した着信メロディ処理部１６の要部を示すブロック図である。図２を参照して、着信メロディ処理部１６は、着信メロディを入力する着信メロディ入力部２１と、着信メロディ入力部２１に接続され、着信メロディを増幅するための音声制御アンプ（ＶＣＡ：Voice Control Amplifier：以下、「ＶＣＡ」と省略する）２０と、着信メロディ入力部２１に接続され、着信メロディのエンベロープを検出するエンベロープ検出部２４と、エンベロープ検出部２４に接続され、検出された着信メロディのエンベロープから、ＶＣＡ２０によって増幅すべき増幅度をＶＣＡ２０に出力する、ＶＣＡ制御部２６と、ＶＣＡ２０に接続され、ＶＣＡ２０によって増幅された着信メロディをスピーカ１８に出力する着信メロディ出力部２２とを含む。このＶＣＡ制御部２６は、ＣＰＵ１１、ＲＯＭ１２、ＲＡＭ１３と一体化されており、ＬＵＴを有している。このＬＵＴは、ＲＯＭ１２に格納されている。
【００１８】
次に、携帯電話１０への着信時にＣＰＵ１１の行なう処理について、説明する。図３は、着信時にＣＰＵ１１の行なう処理を示すフローチャートである。図１から図３を参照して、着信があれば（ステップＳ１１、以下、ステップを省略する）、着信メロディをＲＯＭ１２から読出し、着信メロディ処理部１６へ送る。着信メロディ処理部１６では、エンベロープ検出部２４で着信メロディの音量が小さいか否かを判断する（Ｓ１２）。着信メロディの音量が小さいと判断したときは（Ｓ１２でＹＥＳ）、ＶＣＡ制御部２６でＬＵＴを参照して、ＶＣＡの増幅度を上げる（Ｓ１３）。
【００１９】
ここで、着信メロディの音量が小さいか否かを判断する方法について説明する、図４（Ａ）は、着信メロディのエンベロープを示す図である。図４（Ａ）に示すように、着信メロディのエンベロープは、それぞれ固有の波形を有しており、その波形の振幅が大きい部分では、音量が大きくなり、振幅が小さいと、音量が小さくなる。そこで、ＣＰＵ１１は、エンベロープ検出部２４で、この着信メロディのエンベロープの波形を検出して、振幅が小さくなるときに、音量が小さくなると判断する。
【００２０】
次にＳ１３で示した、ＶＣＡ２０の増幅度を上げる処理について説明する。ＶＣＡ２０の増幅度を上げるときは、ＣＰＵ１１は、上記したＬＵＴを参照する。ＬＵＴの一例を図５に示す。図５に示すように、ＬＵＴは、エンベロープの音量低下量と、その時のＶＣＡの増幅度を示しており、音量が低下すると、すぐに増幅度が上昇するような曲線となっている。このため、着信メロディの音量が下がっても、それによって、ユーザが着信に気が付かないという事態は生じない。
なお、この曲線は、対数関数が好ましいが、対数関数そのものでなく、その近似曲線であってもよい。
【００２１】
なお、ＬＵＴによってＶＣＡ２０の増幅度を上げるというのは、具体的には、着信メロディのエンベロープをＬＵＴによってＶＣＡ２０のコントロール電圧に変換することをいう。このように、ＬＵＴを用いているため、簡単な構成で容易に、音量の制御が可能になる。
【００２２】
次に、図５に示したＬＵＴの変形例について説明する。図５においては、ＬＵＴは、着信メロディによらずに、一定の曲線であった。しかしながら、これを着信メロディの種類によって変えてもよい。この場合の処理のフローチャートを図６に示す。図６を参照して、タンゴ、ブルース、ロック等の着信メロディの種類に応じてＬＵＴを変える。
【００２３】
このように、着信メロディの種類に応じてＬＵＴを変えることにより、着信メロディの種類に応じて最適な音量の増加が可能になる。
【００２４】
次に、この発明のさらに他の実施の形態について説明する。上記実施の形態においては、着信メロディを一体として、その音量が低下したときに増幅処理をおこなった。しかしながら、着信メロディは、ボーカルと演奏とを有しているため、ボーカルと演奏とのいずれか一方の音量のみを増幅し、他方は、増幅しなくてもよい。
【００２５】
その場合の着信メロディ処理部４６の例を図７に示す。図７を参照して、着信メロディ処理部４６は、着信メロディ入力部３１と、着信メロディ入力部３１に接続されたボーカル／演奏分離回路３２と、ボーカル／演奏分離回路３２で分離されたボーカルａと演奏ｂとを出力する端子３２ａ、３２ｂと、端子３２ａ、３２ｂのいずれかと接続可能な接続端子３４からボーカルまたは演奏のいずれかを入力し、その音量を増幅する、図２に示した着信メロディ処理部１６と同様の構成を有するボーカル／演奏処理部３３と、ボーカル／演奏処理部３３で処理された音量が増幅された信号を出力する出力端子３５と、出力端子３５からの出力を受けて、ボーカル／演奏処理部３３で処理をされなかった要素と処理された要素とを混合する混合部（ＭＩＸ）３６とを含む。
【００２６】
このようにすれば、ユーザの好みに応じて、ボーカルまたは演奏のいずれかの音量のみが増幅された着信メロディを出力できる。
【００２７】
次に、この発明のさらに他の実施の形態について説明する。上記実施の形態においては、着信メロディの音量が小さくなる場合にのみ、増幅度をあげる処理を行なった。しかしながら、着信メロディのエンベロープは、上記したように、複雑な振幅を有しているため、音量が上がったり、下がったりする。そこで、着信メロディの音量が上がるときと、下がるときとで、増幅度の変化の割合を可変にしてもよい。
【００２８】
すなわち、音量が大きくなるときは、変化の時定数を小さくし、すぐに音を押える方向に動作させ、音量が小さくなるときは、徐々に音を大きくするようにしてもよい。このようにすれば、上記実施の形態で述べた効果を維持しながら、音の飽和による不快感を無くすことができる。
【００２９】
この場合の時定数の考え方を図４（Ｂ）に示す。図４（Ｂ）を参照して、実線は、図４（Ａ）に示したエンベロープであり、点線は、エンベロープに基づいて、音量が大きくなるときは、変化の時定数を小さくし、すぐに音量を押える方向に動作させ、音量が小さくなるときは、徐々に音量を大きくするようにした状態を示す図である。
【００３０】
次に、この発明のさらに他の実施の形態について説明する。この実施の形態においては、携帯電話１０の周囲の雑音をマイクロフォン１７で検出し、検出した雑音に応じて、ＬＵＴを選択するようにする。たとえば、雑音が大きければ、ＬＵＴの立上り曲線を雑音の低い場合の立上り曲線よりも高くする。その結果、周囲の雑音に応じた、最適な音量の増加が可能になる。
【００３１】
なお、ＬＵＴの形状を、音量低下の小さい範囲でＳ字状にして、ノイズカット効果を得るようにしてもよい。
【００３２】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３３】
この発明に係る携帯電話は、自分の好きな着信メロディを使用しながら、かつ、着信の有無を確実に知ることができるため、着信メロディを利用した携帯電話として有利に使用される。
【図面の簡単な説明】
【００３４】
【図１】携帯電話の要部を示すブロック図である。
【図２】着信メロディ処理部の構成を示すブロック図である。
【図３】着信時のＣＰＵの制御内容を示すフローチャートである。
【図４】着信メロディのエンベロープを示す図である。
【図５】ＬＵＴの一例を示す図である。
【図６】ＬＵＴの選択処理を示すフローチャートである。
【図７】着信メロディ処理部の他の実施の形態を示すブロック図である。
【符号の説明】
【００３５】
１０  携帯電話、１１  ＣＰＵ、１２  ＲＯＭ、１３  ＲＡＭ、１４  通信部、１５  表示部、１６  着信メロディ処理部、１７  マイクロフォン、１８  スピーカ、２０  ＶＣＡ、２１  着信メロディ入力部、２２  着信メロディ出力部、２４  エンベロープ検出部、２６  ＶＣＡ制御部、３２  ボーカル／演奏分離回路、３３  ボーカル／演奏処理部。
【図１】
2006148527.tif 000003
【図２】
2006148527.tif 000004
【図３】
2006148527.tif 000005
【図４】
2006148527.tif 000006
【図５】
2006148527.tif 000007
【図６】
2006148527.tif 000008
【図７】
2006148527.tif 000009